(57)【特許請求の範囲】
【請求項１】
併設された仕切弁付き消火用水管と試験用弁付き泡原液管と；
該消火用水管に配設され、かつ、該泡原液管と逆止弁を介して連結された混合器と；
止水弁を収容した閉弁室を備え、一次側が該混合器の出口側に接続され、二次側が泡ヘッド付き混合液管に接続された一斉開放弁であって、前記閉弁室が感知用ヘッドの付いた感熱管に接続され、該感熱管が連結管を介して前記泡原液管に接続されている一斉開放弁と；を備えていることを特徴とする泡消火設備。
【請求項２】
併設された仕切弁付き消火用水管と試験用弁付き泡原液管と；
止水弁を収容した閉弁室を備え、一次側が該消火用水管に連結され、二次側が泡ヘッド付き混合液管に接続された混合器付一斉開放弁であって、前記閉弁室が感知用ヘッドの付いた感熱管に接続され、該感熱管が連結管を介して前記泡原液管に接続され、泡原液混入孔が該泡原液管に連結されている混合器付一斉開放弁と；を備えていることを特徴とする泡消火設備。
【発明の詳細な説明】
【０００１】
【発明の属する技術分野】
この発明は、駐車場、自動車修理工場等に設けられる泡消火設備に関するもので、特に、泡消火設備の機能試験時において泡ヘッドから消火用水だけを放出させて試験できる様にした泡消火設備である。
【０００２】
【従来の技術】
泡消火設備は、ポンプなどにおいて消火用水に泡消火薬剤即ち泡原液を３％又は６％自動的に混合させ、その混合液を泡発生機構を通過させ混合液の５倍以上の体積の泡にして消火対象物を包囲し、窒息及び冷却消火を行うものである。
【０００３】
従来の泡消火設備は単管式と呼ばれている。この方式は、一本の消火用水管に混合器を設け、その上流側に消火用水を圧送するポンプを設け、その下流側に一斉開放弁を設け、該一斉開放弁の二次側に泡ヘッド付き混合液管を設け、該一斉開放弁の閉弁室に感熱管部を連通させている。
この感熱管には消火用水と泡原液との混合液が充填されるとともに、火災を検出するための感知用ヘッド、例えば、閉鎖型スプリンクラヘッドが配設されている。また、該感熱管の端部には火災時又は試験時に混合液を排出させるための手動開放弁が設けられている。
【０００４】
泡消火設備は、法上定期的に機能試験を行うことが義務づけられている。
しかし、試験時に一斉開放弁を開き、混合液を泡ヘッドから放出すると、経費、後掃除、放出泡の処理に費用がかかる。そこで、実際には次の様にして試験を行っている。
一斉開放弁の二次側に仕切弁を設け、前記両者間にテスト用配管を設ける。該仕切弁を閉じた後、手動開放弁を開いて混合液を排出させ、閉弁室内の圧力を減少させる。そうすると、一斉開放弁が開放されて混合液が該テスト用配管に直接流入する。そのため、混合液は泡ヘッドに供給されないので、泡ヘッドから泡が放出されることはなく、従って、一斉開放弁の開放試験のみしか行われていなかった。
【０００５】
【発明が解決しようとする課題】
従来例には次の様な問題がある。
（１）泡ヘッドは車の排ガスなどで目詰まりを起こし放出特性が落ちていることがあるが、泡ヘッドに混合液が供給されないと、それをチェックすることができない。
【０００６】
（２）本管から放出区画を増設する場合、混合器と一斉開放弁との間に混合液が入っているので、その間の混合液を放出してから工事を行うことになる。そのため、工事費用が嵩み不経済となる。
【０００７】
（３）試験後の一斉開放弁は混合液で汚れているにもかかわらず、そのまま使用されている。しかし、試験を何回も行うと消火薬剤の付着などにより、一斉開放弁の開閉性能が悪くなる。
【０００８】
（４）消火用水を含む混合液が感熱管に充填されているので、寒冷地では該感熱管が凍結することがある。そこで、これを防止するため該管を保温断熱材で被ったり、又は、不凍液を混入しなければならない。
【０００９】
この発明は、上記事情に鑑み、簡単に、かつ、経済的に泡消火設備の試験ができる様にすることを目的とする。
他の目的は、感熱管の凍結を簡素に防止できる様にすることである。
【００１０】
【課題を解決するための手段】
この発明は、併設された仕切弁付き消火用水管と試験用弁付き泡原液管と；該消火用水管に配設され、かつ、該泡原液管と逆止弁を介して連結された混合器と；  止水弁を収容した閉弁室を備え、一次側が該混合器の出口側に接続され、二次側が泡ヘッド付き混合液管に接続された一斉開放弁であって、前記閉弁室が感知用ヘッドの付いた感熱管に接続され、該感熱管が連結管を介して前記泡原液管に接続されている一斉開放弁と；を備えていることを特徴とする泡消火設備、である。
【００１１】
この発明は、併設された仕切弁付き消火用水管と試験用弁付き泡原液管と；  止水弁を収容した閉弁室を備え、一次側が該消火用水管に連結され、二次側が泡ヘッド付き混合液管に接続された混合器付一斉開放弁であって、前記閉弁室が感知用ヘッドの付いた感熱管に接続され、該感熱管が連結管を介して前記泡原液管に接続され、泡原液混入孔が該泡原液管に連結されている混合器付一斉開放弁と；を備えていることを特徴とする泡消火設備、である。
【００１２】
【発明の実施の形態】
仕切弁付き消火用水管と試験用弁付き泡原液管とを併設する。消火用水管には、混合器が設けられ、その下流側には、一斉開放弁が設けられている。一斉開放弁の二次側には泡ヘッドを備えた混合液管が接続されている。
【００１３】
泡原液管は、逆止弁を介して混合器と連通しているが、この泡原液管は一斉開放弁の閉弁室とも連通している。該閉弁室と連通する感熱管、即ち、感知用ヘッド側の泡原液管には閉鎖型スプリンクラヘッド等の感知用ヘッドが配設され、その端部には手動開放弁が設けられている。
【００１４】
泡原液管に供給される泡原液として、例えば、合成界面活性剤泡消火薬剤、水成膜泡消火薬剤、又は、蛋白泡消火薬剤、等が用いられる。
【００１５】
混合器として、例えば、吸引力を利用したインダクタ、又は、圧送力を利用したエンダクタ等が用いられる。
【００１６】
泡ヘッドとして、例えば、開放型スプリンクラヘッドの機能の他、空気泡の放射機能があるフォーム・ウォーター・スプリンクラヘッド、又は、デフレクタで拡散された泡を更に金網により均一に分散せしめるフォームヘッド等が用いられる。
【００１７】
一斉開放弁として、例えば、閉弁室の減圧により開弁する減圧開一斉開放弁を用いるが、混合機能のある一斉開放弁、即ち、混合器付一斉開放弁を用いてもよい。
【００１８】
試験用弁を開いて泡原液を泡原液管に圧送すると、該泡原液は感熱管及び一斉開放弁の閉弁室に充填され、該一斉開放弁は閉弁状態を維持する。
【００１９】
試験時には試験用弁を閉じ泡原液の泡原液管への供給を遮断するとともに、手動開放弁を開け、感熱管内の泡原液を排出させる。そうすると、閉弁室の圧力が低下するので、一斉開放弁が開き、消火用水が混合液管内に流れ、泡ヘッドから放出される。この時、該一斉開放弁及び泡ヘッドは消火用水により洗浄されてきれいになる。
【００２０】
【実施例１】
この発明の第１実施例を図１〜図３により説明する。
大型駐車場は複数階になっており、消火区画Ａ1、Ａ2、Ａ3には、泡消火設備が設けられている。
【００２１】
泡消火設備は、併設された仕切弁ＳＶ1付き消火用水管１と試験用弁ＳＶ2付き泡原液管１０と、該消火用水管１に設けられた混合器付一斉開放弁２０と、該開放弁２０の二次側に設けられた泡ヘッド３０と、該開放弁２０に連通する感熱管４０に設けられた感知用ヘッド５０と、を備えている。
【００２２】
消火用水管１は、仕切弁２、逆止弁３、ポンプＰ1、Ｐ2、フート弁４を介して貯水槽５に連通されている。このポンプは、２台のポンプＰ1、Ｐ2から構成されているが、各ポンプＰ1、Ｐ2は一つの消火区画、例えば、Ａ1を完全にまかなえる容量を備えている。そのため、ポンプＰ1、Ｐ2を同時に運転すると、隣接する二つの消火区画、例えば、Ａ1、Ａ2を同時に消火することが可能である。
【００２３】
消火用水管１には圧力タンク６、不凍液タンク７が連結されている。
なお、消火用水管１にはＹ型ストレーナ８ａ、不凍液混合器８ｂ、アラームバルブ９、が設けられている。
【００２４】
泡原液管１０は、泡原液タンク１１に接続されている。該泡原液管１０は、試験用弁（仕切弁）ＳＶ2、チェックバルブＣＶ2、オリフィスＲＯ、を介して混合機付き一斉開放弁２０に接続されている。
【００２５】
感熱管４０は、連結管１０ａを介して泡原液管１０に連通し、その一端は一斉開放弁２０の閉弁室２６に連結され、他端には手動開放弁４１が設けられている。
この連結管１０ａは、泡原液管１０や感熱管４０より細く形成されている。  そのため、泡原液Ｇはこの連結管により絞られて感熱菅４０に流れにくくなっている。なお、連結管１０ａを前記のように細くするかわりに、該連結管にオリフイスを形成しても良い。
【００２６】
混合液管３１は、一斉開放弁２０の二次側２２に連結され、該管３１には、複数の泡ヘッド３０が配設されている。
【００２７】
混合器付一斉開放弁２０は、消火用水管１に連結された一次側入口２３と、泡原液管１０に連結された泡原液混入孔２４と、止水弁２５を収容した閉弁室２６と、を備えている。
【００２８】
一次側入口２３は、円筒部２３ａと逆円錐台部２３ｂとから構成され、該円錐台部２３ｂの端面には図示しない弁座が形成されている。
【００２９】
泡原液混入孔２４は、水平状に形成された円筒状入口２４ａと、円錐台部２３ｂに沿って形成された円錐台状出口２４ｂと、から構成されている。この出口２４ｂには図示しない弁座が形成されている。
【００３０】
閉弁室２６には二次側出口２２が設けられている。該閉弁室２６内の止水弁２５は、有底円筒状に形成され、スプリングＳにより閉弁方向に付勢されている。
この閉弁室２６や仕水弁２５の形状、大きさ、などは必要に応じて適宜選択される。
【００３１】
次に本実施例の実施例を説明するが、先ず初めに、火災監視時について説明する。火災監視時には、泡原液管１０の試験用弁ＳＶ2  は開、消火用水管１の仕切弁ＳＶ1は開、一斉開放弁２０は閉であり、泡原液管１０、感熱管４０及び一斉開放弁２０の閉弁室２６には泡原液Ｇが充填されている。
【００３２】
感熱管４０の感知用ヘッド５０が火災により開放されると、該管４０内の泡原液Ｇが排出される。そうすると、閉弁室２６内の圧力が低下し、図３に示す様に止水弁２５が変位して弁座から離間するので、一斉開放弁２０が開放され、一次側入口２３と二次側出口２２とが連通する。
【００３３】
消火用水管１から圧送された消火用水Ｗは、一次側入口２３に入り止水弁２５に衝突してその流れ方向を変えられて二次側出口２２に向かう。この時、一斉開放弁２０内には泡原液混入孔２４を介して泡原液Ｇが導入されており、この泡原液Ｇが消火用水Ｗに混入されるので、該消火用水は混合液ＷＧとなる。
この混合液ＷＧは二次側出口２２、混合液管３１を通って泡ヘッド３０から泡状となりながら放出される。
【００３４】
この時、泡原液Ｇは連結管１０ａを介して感熱管４０に入り感知用ヘッド５０から放出されるが、連結管１０ａは前記のように構成されているので、該泡原液Ｇは該連結管１０ａにより絞られて流れにくくなる。  そのため、感知用ヘッド５０から放出される泡原液Ｇは極く小量となるので、泡原液Ｇの無駄使いを防止することができる。
【００３５】
泡消火設備の機能試験をする場合には、次の手順で行う。
（１）泡原液管１０の試験用弁ＳＶ2を閉じる。この時、消火用水管１の仕切弁ＳＶ1は開、一斉開放弁２０は閉であり、感熱管４０内及び一斉開放弁２０の閉弁室２６内には泡原液Ｇが充填されている。
【００３６】
（２）感熱管４０の手動開放弁４１を開き、該管熱管４０内の泡原液Ｇを排出する。そうすると、閉弁室２６内の圧力が低下し、止水弁２５が変位して弁座から離間するので、一斉開放弁２０が開放され、一次側入口２３と二次側出口２２とが連通する。
【００３７】
（３）消火用水管１から圧送された消火用水Ｗは、一次側入口２３、二次側出口２２、混合液管３１を通り、泡ヘッド３０から放出される。この時、該開放弁２０、泡ヘッド３０は消火用水Ｗにより洗浄されてきれいになる。
【００３８】
以上の様にして試験を終了した後、次の手順で監視状態にセットする。
（１）泡原液管１０の手動開放弁４１を閉じるとともに、消火用水管１の仕切弁ＳＶ1を閉じる。この時、感知用ヘッド５０も閉鎖される。
【００３９】
（２）泡原液管１０の試験用弁ＳＶ2を開にする。泡原液Ｇが、泡原液管１０、感熱管４０、一斉開放弁２０の閉弁室２６に充填されと、止水弁２５はスプリングＳのばね力と閉弁室２６内の液圧により押圧され着座する。
仕切弁ＳＶ1を開いて一次側入口２３に給水すると、止水弁２５の一次側の受水圧面と二次側と受水圧面との面積比により、該止水弁２５には全体として閉弁方向の力が働くので、該止水弁は着座し、閉弁状態となる。
【００４０】
【実施例２】
この発明の第２実施例を図４、図５により説明する。
この実施例と第１実施例との主な相違点は混合器付一斉開放弁を用いる代わりに、混合器５５と一斉開放弁６０とを分離して配設したことである。
【００４１】
この実施例では、消火用水１に設けた混合器５５は、逆止弁ＧＶを介して泡原液管１０に連結され、混合器５５の出口５５ｂ側に一斉開放弁６０が設けられている。前記逆止弁ＧＶは消火用水が感熱管４０内に逆流するのを防止し泡原液に消火用水が混入するのを防止する。
【００４２】
ここで用いられる混合器５５や一斉開放弁６０は、特に限定されるものではなく、例えば、混合器５５として、プレッシャー・プロポーショナー方式（差圧混合）、プレッシャー・サイド・プロポーショナー方式（圧入混合）等を利用する。
【００４３】
又、一斉開放弁２０Ａとして、例えば、図５に示す様な構造のものが用いられるが、この弁２０Ａは第１実施例の混合器付一斉開放弁２０から泡原液混入孔２４を除去した構造となっている。
【００４４】
【発明の効果】
この発明は以上の様に構成したので、次の様な顕著な効果を奏する。
（１）泡原液管に設けた試験用弁を閉じて試験するので、消火用水のみ一斉開放弁を通り泡ヘッドから放出される。
そのため、泡原液の無駄使いを防止できると共に、一斉開放弁及び泡ヘッドは消火用水に洗浄されてきれいになる。
又、従来例と異なり、試験時には消火用水は泡ヘッドから放出されるので、目詰まり等を容易に発見することができる。
【００４５】
（２）泡原液管の感知用ヘッド側には消火用水が混入しないので、常時泡原液のみが充填されている状態を維持できる。この泡原液は、例えば、−２℃〜−２０℃になるまで凍らないので、消火用水に比べ著しく凍結しにくい。
そのため、この泡消火設備を−２℃〜−２０℃の寒冷地で用いても凍結することはない。従って、従来例と異なり不凍液の注入や断熱材等による保温工事は不要となる。
【図面の簡単な説明】
【図１】本発明の第１実施例を示すフローチャートである。
【図２】閉弁状態を示す混合器付一斉開放弁の縦断面図である。
【図３】図２と異なる状態を示す図で、開弁状態を示す縦断面図である。
【図４】本発明の第２実施例を示す図である。
【図５】一斉開放弁を示す縦断面図である。
【符号の説明】
１    消火用水管
１０    泡原液管
２０    混合器付一斉開放弁
２５    止水弁
２６    閉弁室
３０    泡ヘッド
３１    混合液管
４０    感熱管
４１    手動開放弁
５０    感知用ヘッド
【図１】
0003852060.tif 000002
【図２】
0003852060.tif 000003
【図３】
0003852060.tif 000004
【図４】
0003852060.tif 000005
【図５】
0003852060.tif 000006